(57)【要約】【課題】撮影者の意思を十分に満たし得る映像や音声を記録し、それらを簡易な方法で映像や音声として呼び出させ、さらにそれらを簡易な方法で交換可能とし、その撮像記録を限定された地域に特用化する。【解決手段】撮影者１０が、撮像手段１１ａにより、自己の意思に基づき任意の撮像をすることにより、その撮像データが、撮像データベース１３に記憶されるようにし、その撮像データに対応したＩＣタグ１４の発行を受け、そのＩＣタグ１４を持った者１５が読取手段１１ｃにＩＣタグを読み込ませることで、上記撮像データを上記撮像データベースから呼び出して再生する再生手段１１ｄを、特定の場所又は地域に置かれたシステム専用端末にのみ組み込む。【選択図】図２
2006301796.tif 000002
【特許請求の範囲】
【請求項１】
撮像手段と、その撮像データを記憶する撮像データベースと、ＩＣタグを提供する発行手段と、その発行されたＩＣタグのＩＤを読み取る読取手段と、読み取ったＩＣタグのＩＤに対応した上記撮像データに基づき映像を再生する再生手段とから成り、
上記撮像手段によって、撮影者が任意の撮像をすることにより、その撮像データが上記撮像データベースに保存されるとともに、その撮像データと対応させたＩＣタグを上記発行手段から提供し、
上記読取手段によって、提供されたＩＣタグを読み取ることにより、そのＩＣタグに対応させた撮像データに基づき上記再生手段によりその映像を再生する映像保存再生システム。
【請求項２】
上記撮像データベースにおいて保存する上記撮像データに付与する撮像データＩＤと、上記ＩＣタグの有するＩＣタグＩＤとを関連付ける関連データベースを有することを特徴とする請求項１に記載の映像保存再生システム。
【請求項３】
上記ＩＣタグに、上記撮像データＩＤを新たに付加する手段を含むものであることを特徴とする、請求項１に記載の映像保存再生システム。
【請求項４】
上記撮像データを、一旦上記撮像データベースに保存した後、撮影者が保存を望む上記撮像データのみと対応させたＩＣタグを提供することを特徴とする、請求項１乃至３のいずれかに記載の映像保存再生システム。
【請求項５】
上記撮像手段に一時的な記憶手段を設け、撮像した上記撮像データを上記撮像データベースに保存する前に、上記一時的な記憶手段から上記撮像データを映像として再生させた上で、撮影者が保存を望む上記撮像データのみを上記撮像データベースに保存して、その保存した上記撮像データと対応させたＩＣタグを提供することを特徴とする、請求項１乃至４のいずれかに記載の映像保存再生システム。
【請求項６】
上記撮像手段、上記発行手段、上記読取手段、上記再生手段の少なくともいずれか一つが複数あって、上記再生手段が、特定の場所又は地域に置かれたシステム専用端末にのみ組み込まれていることを特徴とする請求項１乃至５のいずれかに記載の映像保存再生システム。
【請求項７】
上記撮像手段と、上記発行手段と、上記読取手段と、上記再生手段とが一体の装置であることを特徴とする請求項１乃至６のいずれかに記載の映像保存再生システム。
【請求項８】
上記撮像データベースも上記装置に組み込んだことを特徴とする請求項７に記載の映像保存再生システム。
【請求項９】
上記読取手段及び再生手段が、一つのネットワークを用いて共有する上記撮像データベースに接続して上記映像を呼び出すものであることを特徴とする請求項６又は７に記載の映像保存再生システム。
【請求項１０】
上記撮像データを保存する際に、上記撮像データの関連事項を上記撮像データとともに記録し、上記再生手段において上記撮像データを再生する際に、上記関連事項を併せて表示することを特徴とする、請求項１乃至９のいずれかに記載の映像保存再生システム。
【請求項１１】
上記ＩＣタグに、ＩＣタグＩＤを新たに付加する手段を含むものであることを特徴とする、請求項１乃至１０のいずれかに記載の映像保存再生システム。
【発明の詳細な説明】
【技術分野】
【０００１】
この発明は、撮像した撮像データからなる映像及び音声を、撮像した本人、又は本人が見せたい相手に対して再生させ得るシステムに関する。
【背景技術】
【０００２】
近年の写真の利用方法は、撮影した後、後日プリントした写真を交換しあうといった記念、記録としての写真の利用だけではなく、デジタル写真技術の発展によって、仲間同士のコミュニケーションを目的として気軽に撮影してその場でプリントした写真を見せ合ったり、やりとりしたりするといった利用が可能になっている。その例としては、商店街や集合店舗、アミューズメント施設、観光施設などには、シール付き顔写真撮影機があり、これにより撮像されたシール付き顔写真は撮影した本人のコレクションアイテムとなっているだけではなく、仲間同士のコミュニケーションツールとして広くやりとりされている。また、カメラ付き携帯電話で撮像したデジタルデータ化された写真のメールによるやりとりも広く普及している。
【０００３】
また、写真と同様に、音声や動画を含んだ映像でも、記念や記録としての利用だけではなく、その映像をやりとりするコミュニケーションを目的として、ネットワークを介して、映像、中でも特に動画や音声も含んだデータを交換することが可能となっている。その事例としては、インターネット上にデジタルカメラで撮像した写真をアップロードして見ることのできるネットアルバムや、動画や音声も含めたデータをアップロードできるオンラインストレージサービス、映像貼り付け掲示板等があり、これにより世界どこからでも写真を参照するインターネット上の映像交換システムが可能となっている。
【０００４】
一方、今日普及し始めているＩＣタグは、バーコードや二次元コード、カード用磁気テープ以上の情報量のデータを呼び出し、かつ書き換え可能なことを利用して、容易に情報の相互交換を可能とさせることを目的としており、そのＩＣタグをデータ読取り機にかざすことにより、そのＩＣタグの記憶データを取り出して表示することができるだけではなく、データベースと関連させることでＩＣタグの記憶データを元により多くのデータをデータベースから読み出し表示することもできる。
【０００５】
これらを背景として、例えば、従来のシール付き写真にさらなる付加価値を加えることを目的として、シール付き顔写真にＩＣタグを組み込んで、そのＩＣタグに顔写真データを記録したり、あらかじめＵＲＬが記録されたＩＣタグを組み込んだりすることで、撮像した写真にメッセージを付加したり、そのＩＣタグの応答情報からメッセージをダウンロードして表示したりする方法がある（特許文献１  段落００３２，同００４３，同００５０）。
【０００６】
また、例えば遊園地において、自分が遊ぶジェットコースター等の遊具において、その遊具中の自己の影像の撮影を望むような場合に、ＩＣタグを利用して特定のユーザを識別して自動的に撮影を行い、ユーザに提供することを目的として、そのためのＩＣタグを購入して、そのＩＣタグを携帯して遊具に参加し、その遊戯中に、そのＩＣタグを検知した撮影手段により、そのＩＣタグの所持者を撮像して画像サーバに保存し、あとからそのＩＣタグの所持者を特定できるＩＤとパスワードとを用い、インターネットを介して、撮像した映像を呼び出す方法がある（特許文献２  段落００３５）。
【０００７】
【特許文献１】特開２００３−２５６７９５号公報
【特許文献２】特開２００３−１１６１２７号公報
【発明の開示】
【発明が解決しようとする課題】
【０００８】
しかし、商店街や観光施設等に設置された撮像機などで動画や音声を含む映像を記録して、その動画等を簡易な方法でやりとりしようとしても、従来使われているシール付き顔写真撮影機では印刷された静止画にしか対応しておらず、静止画のみの交換しか出来なかったため、簡易な動画の交換は出来なかった。
【０００９】
また、インターネット上のネットアルバムや映像貼り付け掲示板を用いると動画の交換は可能となるが、高速なインターネット回線と接続して用いることのできる動画環境を独自に用意する必要があり、簡易に動画の交換を行うには極めて敷居が高く、また、そもそもインターネットの接続環境が無い人や、インターネット接続環境があっても低速回線である人には、容易に動画の交換を行うことができなかった。
【００１０】
さらにまた、特許文献１記載の技術では、ＩＣタグに顔写真データやＵＲＬを直接記録するために、記憶容量に限りがあるＩＣタグでは、記録できるデータ量は限られており、実際に、動画や音声を記録することには限界があった。一方で、インターネットを介して呼び出すことが出来るのはあらかじめ入力されたＵＲＬに対応したメッセージなどに限られており、そのメッセージも音声再生ではなく表示することに限られていて、撮影者が撮像した撮像データをサーバに蓄えることはできなかった。
【００１１】
また、特許文献２に記載の技術では、ＩＣタグは、被撮影者を特定するために利用される。さらに、この技術で撮像される撮像データは、被撮影者の意思に関わらず、ＩＣタグに関連づけられる情報として残されるため、被撮影者が明確な意図を持って記録したいと考える内容を撮像するには不向きである。ここで、撮影者の意図とは、自らが目的意識を持って選択した内容であることをいい、例えば、自ら回想することを望むこと、特定の場所を訪問した記録、他者に見せたい又は伝えたいと考えるメッセージ、友誼を深めたりした記念のメッセージ、祝賀会や競技記録を達成した際の映像などが挙げられる。
【００１２】
さらに、撮像した撮像データが、インターネットを介してどこからでも見ることができるようであると、影像を撮像した地域との結びつきは消滅してしまい、再生されるその映像を動機として客を再度訪問させたり、それによって新規な客を引き寄せたりする力は弱くなってしまうので、遊戯施設や観光地に設置するには客の再獲得能力が十分ではなかった。
【００１３】
そこで、この発明は、撮影者の意図に応じた影像、特に動画や音声を含むものを記録し、また、その動画等を簡易な方法で映像として呼び出させ、さらに、その動画等を簡易な方法で交換可能とすることを第一の課題とし、その撮像記録と閲覧とを限定された地域に特用化させて、映像を鑑賞しようとする者をその地域に呼び込み、その地域の振興を図ることを第二の課題とする。
【課題を解決するための手段】
【００１４】
上記第一の課題を達成するために、この発明は、撮影者が、撮像手段により、自己の意思に基づき任意の撮像をすることにより、その撮像データが、撮像データベースに記憶され、発行するＩＣタグと対応させるようにしたのである。
このようにすれば、撮影者が、自己の意図する撮像を行うため、意思を十分に満たし得る映像や音声を記録することができ、また、保存する映像や音声の許容量を十分に確保することができる。このため、容量の大きな動画や音声を含む撮像データであっても容易に取り扱うことができる。また、撮像データと対応させたＩＣタグを撮影者に発行することで、撮影者又は他者は、そのＩＣタグを読取手段に読み取らせることによって、そのＩＣタグに対応した撮像データを容易に呼び出し、映像や音声として再生させることができる。さらに、撮影者同士が自己の撮像データを記録したＩＣタグを交換するだけで、音声を含み得る動画等を容易に交換することが出来る。
【００１５】
第二の課題を達成するために、この発明は、再生手段を、特定の場所又は地域に置かれたシステム専用端末にのみ組み込むようにしたのである。
このようにすれば、映像や音声を再生して鑑賞する際には、システム専用端末のある所に行く必要が生じるため、映像を鑑賞しようとする者を同じ場所に向かわせる目的となり得、その場所への訪問者を増やし、その地域の振興を図ることができる。
【発明の効果】
【００１６】
この発明によれば、撮影者が自分の満足がいく状態の撮像データをＩＣタグに対応させて持つことができる。また、そのＩＣタグを所持した者であれば、再生手段が設置されている場所に行くことで、上記の満足がいく撮像データを鑑賞することが出来る。すなわち、撮影者はもとより、撮影者が見せようとする他者であっても、ＩＣタグを所持していれば、再生手段が設置されている場所に行くことで撮像データを鑑賞でき、動画をはじめとする撮像データを仲間同士で簡易な方法で交換することが出来るようになる。
【発明を実施するための最良の形態】
【００１７】
以下、この発明について詳細に説明する。
この発明の具体的な態様としては、撮像手段と、その撮像データを記憶する撮像データベースと、ＩＣタグを提供する発行手段と、その発行されたＩＣタグのＩＤを読み取る読取手段と、読み取ったＩＣタグのＩＤに対応した上記撮像データに基づき映像や音声を再生する再生手段とから成り、前記撮像手段によって、撮影者が任意の撮像をすることにより、その撮像データが前記撮像データベースに記憶されるとともに、その撮像データと対応させたＩＣタグが前記発行手段から提供され、その提供されたＩＣタグを上記読取手段に読み取らせることにより、そのＩＣタグに対応させた撮像データに基づき上記再生手段によりその映像を再生する構成としたのである。
【００１８】
上記「撮像手段」とは、影像を電子化された撮像データとして取り込むことが出来るものをいう。この撮像手段は、影像を静止画として取り込むのであればデジタルスチルカメラでよく、静止画と動画とどちらでも取り込むのであればデジタルビデオカメラである必要がある。また、同時に音声を取り込む場合は、集音手段として録音するためのマイクを備えている必要がある。
【００１９】
上記の「影像」の内容としては、撮影者が撮像手段の前に立って撮像する自己の影像だけではなく、風景の影像、撮影者以外の他者の影像も含む。なお、影像とはものの姿を示す像のことであり、映像とは光によって再生された像を示す。また、音声とは、この発明において、記録され、又は再生されるものであり、人の声だけではなく、鳥や虫の鳴き声、自然現象が起こす音、演奏など音全般を示す。
【００２０】
上記「撮像データ」とは、影像や音声を電子化したデータであって、映像や音声として上記再生手段で再生できるものであり、映像としては静止画でも動画でもそれらの組み合わせでもよい。さらに、撮像データは、撮像した日付や場所、撮影者などの、撮像した影像の関連事項をデータとして伴うものであってもよい。これらの関連事項は撮像手段が自動的に付加するものでもよいし、キーボードなどにより撮影者が入力するものであってもよい。
【００２１】
上記「撮像手段によって、撮影者が任意の撮像ができる」とは、特許文献２記載の技術のように、ＩＣタグを先に発行し、かつ、被撮影者の意思にかかわらず撮像するのではなく、まず、自己の望む位置及び時等における撮影の結果のみを保存しうることを言う。
このため、撮像した撮像データを映像や音声として再生して、撮影者が確認し得るようにすれば、撮影者が納得できる上記撮像データが得られるよう撮像をやり直したり、複数撮像した撮像データの中から、映像や音声に納得した撮像データのみを残したりできることとなって、有効である。
【００２２】
上記の任意の撮像を行うための上記撮像手段は、一つの装置に完全に固定することで、方向と位置が定められた特定の背景で対面的に撮像する専用端末としたり、一つの装置に設置しつつも方向やズームサイズ等を調整可能にして、装置に対面して撮影者自身を撮像する際に構図や距離を任意に調整できるようにしたり、上記撮像データを送る通信の届く範囲内であれば自在に独立して取り回せるようにして、撮影者と相対する他者をも撮像可能としたりして、その撮影を行う場所と状況に応じて設置の仕方を選択できる。また、上記集音手段は、上記撮像手段が設置された装置に付属させたり、撮影者又は撮影者ではない被撮影者が携帯できるワイヤレスマイクとしたり、撮影を行う範囲に複数のマイクを設置して被撮影者が移動しても十分に集音できるようにしたりして、録音を行う場所と状況に応じて設置の仕方を選択できる。なお、これら集音手段の設置方法を併用してもよい。
【００２３】
上記撮像手段において、「任意の撮像をする」ための方法としては、例えば、撮像手段に一時的な記憶手段を設けることで、撮像した上記撮像データを後述する撮像データベースに保存する前にこの一時的な記憶手段から撮像データを映像や音声として再生させた上で、撮影者が納得した上記撮像データのみを撮像データベースに保存したり、上記撮像データを一旦撮像データベースに保存した上で、撮影者が納得しない撮像データを上記の入力装置から選択して撮像データベースから消去することで撮影者が納得した上記撮像データのみを残したりする方法が挙げられる。なお、上記の一時的な記憶手段は、磁気ディスクや半導体メモリのように書き込みや読み出しが高速かつ容易なものが望ましい。なお、確認する撮像データが静止画のみである場合であっても、このように撮像データを再生させる装置は、印刷のような紙やフィルムといった媒体への保存ではなく、ディスプレイ上での保存されない再生により実現することが望ましい。
【００２４】
上記「撮像データベース」は、磁気ディスクや磁気テープ等の磁気媒体、光ディスクなどの光媒体、フラッシュメモリーなどの半導体媒体などからなる、設置した記憶手段であり、電子データ化された上記撮像データを記憶、保存し、管理して、呼び出すことができるものをいう。この中でも、磁気ディスクが、汎用性があり、容量を拡大させやすいため望ましい。この撮像データベースでは、保存する各々の撮像データに撮像データＩＤを付与して、この撮像データＩＤにより読み込みや呼び出し等の管理を行う。この撮像データベースは、上記撮像手段と一体の装置であってもよいし、上記撮像手段とは離れた箇所にあって、有線又は無線ネットワークを通じてデータをやりとりするものであってもよい。離れた箇所にある場合、このデータベースとはコンピュータにサーバ機能を持たせたサーバとして機能するものであるとよく、リレーショナルデータベースシステムにより実現するものであると好ましい。
【００２５】
上記「撮像データＩＤ」とは、撮像された上記撮像データを上記撮像データベースに保存するにあたって、保存されたそれぞれの上記撮像データを識別するために、システム専用端末又は撮像データベースそのもの等が付与する、各々の上記撮像データ固有の識別番号である。
【００２６】
上記「ＩＣタグ」とは、微小なＩＣチップを内蔵し、電波や電磁波で上記読取手段及び上記発行手段と交信して各々のＩＣチップ内の記憶領域に保持されている記録の読み取りや書き込みが出来るものをいい、カード型やラベル型、コイン型、スティック型など様々な形状をしたものの他、携帯電話などの装置に内蔵させたものも含む。このＩＣタグは、各々のＩＣチップ内の記憶領域にＩＣタグＩＤを保持することができる。これによって、各々のＩＣタグを識別できるものである。また、このＩＣタグには固有のＩＣタグＩＤ以外にも、上記撮像データＩＤのような、任意の情報を記録しておくことが出来るものもある。
【００２７】
上記の「ＩＣタグのＩＤ」とは、上記ＩＣタグに固有の上記ＩＣタグＩＤと上記ＩＣタグに記録された上記撮像データＩＤとの少なくともどちらか一方を意味するものである。上記の「ＩＣタグＩＤ」とは、上記ＩＣタグのＩＣチップ内の記憶領域に保持されるＩＤであって、ＩＣタグ製造時に予め一意となるように決められた書き換えができない固有の識別番号、または、ＩＣタグ利用時に割り当てられ必要に応じて書き込まれる識別番号である。
【００２８】
上記「発行手段」とは、撮影者が上記撮像データを確認した上で上記撮像データベースに保存した後、又は撮影者が上記撮像データを先に上記撮像データベースに保存しておいて後で消去しないで残すことを納得した後、保存した上記撮像データと対応させた、上記ＩＣタグを撮影者に提供するものである。これは、新規な上記ＩＣタグを提供するだけではなく、撮影者が所持する既に発行された上記ＩＣタグに、新たな上記撮像データを対応させた上で撮影者に提供し直すことも含む。
【００２９】
ここで、上記「撮像データと対応させる」とは、例えば、上記撮像データベース内で上記撮像データを判別する撮像データＩＤを直接に上記ＩＣタグに記録し、上記撮像データＩＤを読み取ることで上記撮像データを呼び出すことができるようにしたり、上記撮像データＩＤと上記ＩＣタグに固有のＩＣタグＩＤとを関連付ける関連データベースにより、上記ＩＣタグＩＤから上記撮像データＩＤを呼び出して、上記撮像データを呼び出すことができるようにしたりすることで、上記ＩＣタグから上記撮像データを呼び出し可能にすることをいう。
【００３０】
また、「ＩＣタグを提供する」とは、上記撮像データＩＤを直接記録したり、上記ＩＣタグＩＤに上記撮像データＩＤが関連付けられたりした新規なＩＣタグを払い出すだけではなく、ユーザが既に所有している上記ＩＣタグに新たな上記撮像データの上記撮像データＩＤを追加したり、ユーザが既に所有している上記ＩＣタグの上記ＩＣタグＩＤと上記撮像データＩＤとを対応させたりして、新たな上記撮像データと追加で関連付けたＩＣタグをユーザに持たせることも含む。なお、新規なＩＣタグを受け取るのは、その場で撮影した撮影者に限らず、ネットワークを介して注文を受けた管理者が郵送することにより、撮影者が希望する他者が受け取るようにすることもできる。
【００３１】
上記「読取手段」とは、上記撮像データを呼び出すために、上記ＩＣタグを電磁的に読み取るものである。ここで上記ＩＣタグを読み取るとは、例えば、上記ＩＣタグに上記撮像データＩＤが記録されている場合には、上記撮像データＩＤを読み取ることをいい、上記ＩＣタグＩＤと上記撮像データＩＤとを上記関連データベースとで関連付けている場合には、上記ＩＣタグの上記ＩＣタグＩＤを読み取ることをいう。これら両方の手段を併用している場合には、上記撮像データＩＤと上記ＩＣタグＩＤのどちらか、又は両方を読み取ることをいう。
【００３２】
上記「再生手段」は、上記読取手段により上記ＩＣタグから読み取ったＩＤから、そのＩＤに対応する上記撮像データを上記撮像データベースから呼び出して再生するものである。上記の関連データベースにより上記ＩＣタグＩＤと上記撮像データＩＤとを対応させている場合には、上記読取手段により上記ＩＣタグの上記ＩＣタグＩＤを読み取って、上記関連データベースを参照することにより、上記ＩＣタグＩＤに関連付けられた上記撮像データＩＤを調べて、上記撮像データベースより上記撮像データＩＤに対応した上記撮像データを呼び出す。上記ＩＣタグに直接上記撮像データＩＤを記録している場合には、上記読取手段により上記ＩＣタグに記録された上記撮像データＩＤを読み取って、その上記撮像データＩＤに対応した上記撮像データを、上記撮像データベースより呼び出す。また、再生する際には、映像や音声だけではなく、上記の撮像した影像の関連事項を表示してもよい。
【００３３】
上記「再生手段」は、ＣＲＴディスプレイ、液晶ディスプレイ、有機ＥＬディスプレイ、又はプラズマディスプレイなどの、呼び出した上記撮像データを映像として再生するディスプレイを備えるものである必要がある。これは二次元ディスプレイに限らず、三次元ディスプレイも含む。また、撮像の際に音声も録音している場合、上記「再生手段」は、音声を再生するためにスピーカーを備えている必要がある。
【００３４】
このような構成からなるシステムにより、撮影者は、自己の意図に応じた撮像データ、特に動画や音声を含むものを記録することができる。また、撮像データを撮像データベースに保存するため、保存する撮像データの許容量を十分に確保することが出来る。撮影者にはこのようにして保存した撮像データに対応させたＩＣタグが提供される。撮影者又はそのＩＣタグを譲渡された他者は、提供されたＩＣタグを読取手段に読み取らせることで、そのＩＣタグに対応した撮像データ、特に動画や音声を含むものを容易に呼び出し、再生させることができ、かつ、そのＩＣタグを交換するだけでその撮像データを交換することができるので、撮像データを簡易な方法で呼び出し、さらに簡易な方法で交換可能とすることを実現できる。
【００３５】
上記の撮像手段に、撮像した撮像データを映像や音声として再生させる装置を設ければ、その装置で再生させることで保存する前の映像や音声の確認を実現させることができる。この再生させる装置の役割を、上記再生手段に兼用させると、装置を簡略化させることができる。またそれとは逆に、任意の撮像をするための確認を行える必要最小限の大きさの表示装置を備え、さらに上記撮像手段及び上記発行手段とから構成される撮像専用端末を、上記再生手段を備えた装置とは別に用いると、撮像可能箇所を増やす際に、上記再生手段を備えた装置を設置するよりも経済的であり、かつ一端末あたりの設置スペースを縮小できる。この撮像専用端末を用いる場合には、上記の必要最小限の大きさの表示装置によって、保存する映像や音声を確認することができるが、そこでは基本的に撮影を行うのみであり、その表示装置の役割は再生ではなく、任意の撮像が出来たか否かを確認するためのものである。この撮像専用端末を設置する場合には、これらとは別に、上記読取手段と上記再生手段とを備えた端末を別に設定して、上記撮像専用端末で撮像した撮像データを十分なサイズで再生できるようにする。例えば、スタンプラリーのポイントを置くような撮影スポットの多い観光地の各所に端末を設置する場合には、各地点には上記撮像専用端末を設けて、そこでは撮像のみを行い、ホテルや駅などに上記再生手段を備えた端末を設置してそこで再生する、といった形で、設置する端末ごとの役割を分けるシステムを用いることができる。
【００３６】
また、上記撮像手段には、撮影者が撮像した撮像データに納得したか否かの判断を伝達できる入力装置が設けられていると、その操作がし易い。この入力装置は、ボタン、キーボード、マウス、トラックボール、タッチパネルなど、撮像データの選択や保存にあたって必要な判断を入力できるものであればよい。撮影者は、上記再生手段、又は上記撮像手段に設けられた撮像した撮像データを再生させる装置によって、その場にある上記撮像手段で撮像した撮像データを再生させて閲覧し、その撮像データが、自身が望む内容であれば、これを保存する意思を示す操作を、上記入力装置によって行う。これは例えば、装置にハードウェアとして作り付けられている保存を示すボタンを押したり、画面上に表示された保存を示すアイコンをマウスでクリックしたり、タッチパネルに指で触れたりすることである。一方、自身が後で再生することを望まない撮像データは、これを削除する意志を示す操作を、上記入力装置によって行う。
【００３７】
上記撮像手段で撮影者が撮像した撮像データを確認するにあたって、撮像した撮像データを一旦上記撮像データベースに保存してから映像や音声として再生し、撮影者が取捨選択を行う場合には、保存した上記撮像データのうち、撮影者が後で映像や音声として再生することを望まない撮像データは、無視、又は消去して、撮影者が望む上記撮像データと対応させたＩＣタグのみを提供するようにするとよい。また、撮像した撮像データを撮像手段に設けた一時的な記憶手段に保存してから映像や音声として再生し、撮影者が取捨選択を行う場合には、撮影者が保存を望む撮像データのみを上記の一時的な記憶手段から上記撮像データベースに保存して、その保存した上記撮像データと対応させたＩＣタグのみを提供するようにするとよい。こうすることにより、撮像データごとに新しいＩＣタグを払い出す場合でも、撮影者は使用しないＩＣタグを新規に手にせずに済む。また、複数の撮像データをＩＣタグに対応させている場合には、再生させる際に、再生する意図の無い無駄な映像などにより選択肢を増やさずに済むため効率的となる。
【００３８】
ここで、上記ＩＣタグを「撮像データと対応させる方法」について、より詳細に説明する。上記ＩＣタグを上記撮像データと対応させる方法としては、上記ＩＣタグに上記撮像データの上記撮像データＩＤを直接記録する方法と、上記ＩＣタグの上記ＩＣタグＩＤと上記撮像データＩＤとを対応させる関連データベースで関連付ける方法が挙げられる。これらそれぞれの方法について、上記撮像データを一つのみ関連付ける場合と、複数の上記撮像データを関連付ける場合とのそれぞれについて説明する。
【００３９】
上記ＩＣタグに上記撮像データＩＤを直接記録する方法を用いる場合、上記発行手段が新たに発行する上記ＩＣタグに上記撮像データＩＤを付加して新規ＩＣタグを払い出す方法と、既に発行された上記ＩＣタグを受信し、その上記ＩＣタグに上記撮像データＩＤを新たに付加する方法とがある。新規ＩＣタグに上記撮像データＩＤを付加して払い出しを受ける方法を用いると、上記撮像データを鑑賞できる専用のＩＣタグをその場で手に入れることができるので、初めてこのシステムを利用する場合の新規ＩＣタグ発行として有効である。そのほか、映像や音声を形としてコレクションさせることができ、また撮影者が映像や音声を見せたり聞かせたりしたい相手に上記ＩＣタグを手渡したり、上記撮像データＩＤを付加した上記ＩＣタグを複数発行させることで上記ＩＣタグを多数の人に配布したりすることもできる。
【００４０】
次に、上記ＩＣタグを上記撮像データと対応させる方法として、上記の関連データベースを用いた場合について説明する。上記の関連データベースとは、例えば、図１のように上記ＩＣタグＩＤと上記撮像データＩＤとを対応させたテーブルを有するものであり、上記ＩＣタグＩＤに対応している上記撮像データＩＤを参照したり、又はその逆に、上記撮像データＩＤに対応した上記ＩＣタグＩＤを参照したりできるものである。このシステムにおいて、上記ＩＣタグ又は上記ＩＣタグＩＤと上記撮像データＩＤ又は上記撮像データとの間に構築したこのような参照し合える関係を、関連付けした、という。このテーブルを保存する媒体である上記関連データベースは、上記撮像データベースと同様に、磁気ディスクなどの媒体であると利用しやすい。また、上記撮像データベースの機能を有するサーバ又は記録媒体が、上記関連データベースの機能も有するものであってもよい。
【００４１】
この関連データベースを用いて、上記ＩＣタグを上記撮像データと対応させる方法としては、新たに発行する上記ＩＣタグの有するＩＣタグＩＤと、上記撮像データＩＤとを関連付ける方法、既に発行された上記ＩＣタグの有するＩＣタグＩＤと、上記撮像データＩＤとを関連付ける方法、新たに発行する上記ＩＣタグに、上記ＩＣタグＩＤを新たに付加した上で、そのＩＣタグＩＤと上記撮像データＩＤとを関連付ける方法が挙げられる。
【００４２】
新たに発行する上記ＩＣタグの有するＩＣタグＩＤと、上記撮像データＩＤとを関連付ける方法を用いると、上述の上記ＩＣタグに上記撮像データＩＤを直接記録する方法において、新規ＩＣタグに上記撮像データＩＤを付加して払い出しを受ける方法を用いる場合と同様、上記撮像データを鑑賞できる専用のＩＣタグをその場で手に入れることができるので、初めてこのシステムを利用する場合の新規ＩＣタグ発行手段として有効である。
【００４３】
上記のうち、新たに発行する上記ＩＣタグの有するＩＣタグＩＤと、上記撮像データＩＤとを関連付ける方法を用いると、発行手段がＩＣタグの発行に備えて用意しているＩＣタグのＩＣタグＩＤと、上記撮像データＩＤとを関連付けるので、上記ＩＣタグに書き込みを行う必要なく、上記関連データベース内で関連付け作業を行うだけで、上記撮像データと関連付けられた新規な上記ＩＣタグを提供することができる。
【００４４】
また、上記のうち、既に発行された上記ＩＣタグの有するＩＣタグＩＤと、上記撮像データＩＤとを関連付ける方法とは、撮影者が撮影の前又は後に、撮影者が既に有しているＩＣタグを上記読取手段そのものか、又は同様の機能を有する装置により読み取らせることでＩＣタグＩＤを読み出させ、このＩＣタグＩＤと、撮影者が撮像して保存することに納得した上記撮像データの上記撮像データＩＤとを関連付けることで、撮影者が読み取らせたＩＣタグに追記を行うことなく、ＩＣタグに新たな上記撮像データを対応させる方法である。この方法を用いると、上記発行手段は上記ＩＣタグに書き込みを行う機能がなくても、インターフェースとしては上記ＩＣタグを読み取りそれを返却するだけで、新たな上記撮像データと対応した上記ＩＣタグを提供できる。
【００４５】
さらに、上記のうち、新たに発行する上記ＩＣタグに、上記ＩＣタグＩＤを新たに付加した上で、そのＩＣタグＩＤと撮像データＩＤとを関連付ける方法とは、上記発行手段が上記ＩＣタグＩＤを有していない上記ＩＣタグを保管しており、撮影者に提供する際には、上記のＩＣタグＩＤを有していないＩＣタグに、未使用の上記ＩＣタグＩＤを割り当て、付加して、撮影者に提供する方法である。ただしこの方法にかかるシステムは、発行されるＩＣタグＩＤの重複を防ぐために、ＩＣタグの発行と未発行とを管理するＩＣタグデータベースを有していることが必要である。なお、上記ＩＣタグへの上記ＩＣタグＩＤの付加は、上記ＩＣタグＩＤと上記撮像データＩＤとを関連付ける前でもよいし、関連付けた後でもよい。
【００４６】
なお、この発明にかかるシステムは、このシステムに関わるＩＣタグのＩＣタグＩＤを管理するＩＣタグデータベースを有していると効果的である。このシステム専用のＩＣタグを発行する場合に、このＩＣタグデータベースが、既に発行したＩＣタグのＩＣタグＩＤと未だ発行していないＩＣタグのＩＣタグＩＤとを管理しておくと、読み取ったＩＣタグがこのシステムにかかるＩＣタグであるかどうかを判別することもできる他、同じ技術を用いて同じシステム態様である他のシステム系との間でＩＣタグが誤作動するのをさけることが出来る。なお、このＩＣタグデータベースの行う管理を、上記関連データベースが行うようにしてもよい。上記関連データベースは図１のように、ＩＣタグＩＤを撮像データＩＤとともに記録するが、必然的に使用されたＩＣタグのＩＣタグＩＤを全て記録することになるからである。
【００４７】
また、上記発行手段が発行する上記ＩＣタグは一つだけではなく、同一の又は重複する上記撮像データと関連付けた上記ＩＣタグを複数払い出すものであってもよい。複数の上記ＩＣタグを発行することで、撮影者が関係する他者にその上記ＩＣタグを配布することができ、上記撮像データによる上記映像などを撮影者が希望する多くの他者に見せることが出来る。さらに、既に複数の上記撮像データを上記撮像データベースに保存し、複数の上記撮像データと対応した単数又は複数の上記ＩＣタグを有している者が、それらの上記撮像データの中から選択した一部の上記撮像データのみと対応させた新たな上記ＩＣタグを提供され得るようにしたりすることで、その新たな上記ＩＣタグを他者に渡すことにより自分が他者に見せたいと思う映像や音声のみを見せることができる。この、既に上記ＩＣタグを有している者とは、撮影者自身に限らず、撮影者からＩＣタグを提供された者も含んでもよい。
【００４８】
さらに、上記ＩＣタグが複数の上記撮像データと対応している場合、上記再生手段は、上記ＩＣタグに対応させられた上記撮像データのうち、再生したいもののみを選んで再生することが出来るようにすると、任意の撮像データを映像や音声として再生できる。その方法としては、例えば、上記再生手段である上記のディスプレイ上で、上記の映像や音声を簡易的に閲覧して、再生する上記撮像データを選択できるようにするといった方法が挙げられる。この場合、上記再生手段が上記入力手段を備えていると、取り扱いの利便性が向上する。
【００４９】
なお、上記ＩＣタグは、非接触によるデータ交換インターフェースを持ち、上記読取手段又は上記発行手段が形成する電磁波エリア圏内に上記ＩＣタグが一定時間以上滞在していることで、読み取り、書き込み又はその両方ができることから、読み取りから再生までを自動化できる。また、上記のデータ交換インターフェースを持つ上記読取手段又は上記発行手段は、非接触であるために形状の自由度が高く、上記ＩＣタグの意匠化されたモチーフに対応するデザインにすることで、上記ＩＣタグをかざす行為を遊戯施設の一環に組み込むこともできる。例えば、占いを模した遊戯施設において、腕輪に組み込まれた上記ＩＣタグを祭壇型の上記読取手段にかざして、上記ＩＣタグに格納されている上記ＩＣタグＩＤ又は上記撮像データＩＤを読み込ませ、映像や音声を再生させる、といったことが挙げられる。
【００５０】
また、上記発行手段で上記のＩＣタグを提供する際には、そのＩＣタグに記録した上記撮像データの日時、場所等を記録した撮影記録書を発行すると、撮影者がＩＣタグに何を記録したのかを文書で保存しておくことができる。さらに他の方法として、上記ＩＣタグがカード型などの、表面に一定の平面を確保できる形状である場合には、表面に、インクにより印刷したり、熱や光などで化学反応を起こす等の方法により表面の光学的記載を書き換えたりすることができる記載表示面を設けて、そこに上記ＩＣタグに関連付けた上記撮像データの日時、場所、又は上記撮像データを示唆する文字や記号、アイコン等を記載し、表示させる方法がある。上記ＩＣタグの表面にこのような記載があれば、上記ＩＣタグを所有する者は、上記ＩＣタグを上記読取手段に読み込ませることなく、上記記載表示面を確認するだけで、上記ＩＣタグに関連付けられた上記撮像データの内訳、詳細を知ることができる。このような記録や記載は、一人の人間が複数の上記ＩＤタグを保有するようになったときに、個々の上記ＩＣタグを識別する際にも有効である。また、上記ＩＣタグそのものに、上記ＩＣタグが発行された場所やイベント、日時等に固有のデザインを持たせておくと、上記ＩＣタグを複数保有した際に、より簡便に個々の上記ＩＣタグを識別できる。
【００５１】
上記撮像手段、上記発行手段、上記読取手段、上記再生手段は、それぞれが単数であっても複数であってもよい。それぞれの手段が複数あることにより、それらがネットワークを介してデータをやりとりすることで、撮像や再生をそれらのうちのどれでも行うことができる。また逆に、ネットワークを介して繋がったそれぞれの手段が複数ある中でも、特定の上記読取手段で読み取った上記ＩＣタグに関連付けられた上記撮像データを、特定の上記再生手段のみで再生するように限定するといった方法も挙げられる。例えば、一つのテーマパーク内の各所に、ネットワークを介して繋がった上記読取手段と上記再生手段とがそれぞれ複数設けられている場合に、大型スクリーンからなる１つの上記再生手段を見ることの出来る場所に複数の上記読取手段が設置され、それらの読取手段で読み取らせた上記ＩＣタグに関連する上記撮像データが、上記の大型スクリーンで再生されるようにすると、上記撮像データを広く見せつけることができ、システムのエンターテインメント性を高めることができる。
【００５２】
また、上記撮像手段、上記発行手段、上記読取手段、上記再生手段は、それぞれが一つずつであってもこの発明にかかるシステムとなることができる。さらに、そのシステムで、各手段とともに、上記撮像データベース及び上記関連データベースが一箇所に置かれた場合には、撮像も再生も一箇所でのみでき、撮像された上記撮像データは上記再生手段が置かれた場所固有のものとなる。
【００５３】
一方、これらの手段の少なくともいずれか一つが複数あり、複数の箇所に設置する場合でも、撮像された上記撮像データを、特定の場所又は地域に置かれたシステム専用端末以外では再生できなくすることで、この発明にかかるシステムと撮像された上記撮像データとを、その場所又は地域固有のものにできる。ここで特定の場所又は地域とは、特定の商店街や遊戯施設、観光地などが挙げられる他、博物館やディスコなど、特定の店舗も含むものである。
【００５４】
このような場所に置かれたシステム専用端末でのみ再生できるようにすることで、影像を撮像した撮影者や、その撮影者が映像などを見せたいと希望した関係者は、映像などを見るために、映像や音声と関連付けられた上記ＩＣタグを持って、上記システム専用端末が置かれた場所に来る必要が生じることとなり、これにより、上記の特定の場所又は地域を、撮影者であれば再度、それ以外の者であれば新たに訪問させるきっかけとすることができ、商店街や観光地であればその地域の振興を図ることができる。
【００５５】
この発明にかかるシステムにおいて、上記撮像手段と、上記発行手段と、上記読取手段と、上記再生手段とは、一体の装置であると好ましい。一体の装置であると、撮像後の確認を上記再生手段で行ったり、設置面積を小さくしたり、メンテナンスを一括して行ったりすることができる。また、上記発行手段を、新たなＩＣタグの発行ではなく、既存の上記ＩＣタグへの書き込みや上記撮像データＩＤと上記ＩＣタグＩＤとの関連付けで行う場合には、上記の一体の装置とすることにより、上記発行手段と上記読取手段とを上記ＩＣタグを読み書きするパーツ一つで兼用したりすることができる。この一体の装置が上記のシステム専用端末であると、これらの両方の効果を得ることができる。
【００５６】
上記の撮像データベースは、上記の装置に組み込まれて一体であってもよいし、上記の装置とネットワークを介して繋がっているものであってもよい。なお、どちらの場合も、上記撮像データベースは一つでなくてもよく、複数の上記撮像データベースをクラスタリングすることで、保存できる上記撮像データ量を増やしてもよいし、複数の上記撮像データベースをミラーリングさせることで、上記撮像データを冗長化させてエラー耐性を上げてもよい。
【００５７】
まず、上記撮像データベースが上記の装置と一体である場合には、外部と通信する必要なく、その装置一つでこの発明にかかるシステムの効果を発揮することができ、特定の場所に一台だけ設置する場合に扱いやすくなる。
【００５８】
また、上記撮像データベースと上記関連データベースを一体の装置にすると、コンピュータの内部バスで接続できるため、ネットワークを介して上記関連データベースに接続した場合よりも、呼び出しや書き込み、検索などの作業を高速化することができる。さらに、上記の一体の装置がサーバであってもこの効果を得ることが出来る。
【００５９】
次に、上記撮像データベースが上記の装置とネットワークを介して繋がっている場合は、ネットワークを介してデータをやりとりすることで上記の装置による上記撮像データの保存や再生の要求に上記撮像データベースが応答する。一つのネットワークを用いて上記撮像データベースを共有することにより、複数の装置で撮像された上記撮像データを共有することができ、特定の地域に置かれたどの装置でも撮像し、どの装置からでも呼び出して再生できるので、多くの人間が使用する観光地や巨大遊戯施設などで扱いやすくなる。
【００６０】
ただし、上記のネットワークを介して上記撮像データベースに繋がっている場合、少なくとも上記撮像データベースにアクセス可能である装置は、何らかの形でこの発明にかかるシステムの装置のみに制限される必要がある。この発明にかかるシステムの装置からのみアクセス可能とすることで、上記の映像などを見、聞きするためには、この装置が置かれた特定の場所又は地域を訪れる必要があるようにできる。公共性のあるネットワークを用いる際には、ＩＰアドレスなどによりアクセスを限定したり、また、途中にインターネットを介したバーチャルプライベートネットワークを用いたりして、この発明にかかるシステム以外からのアクセスを制限する必要がある。また、公共性のない、この発明にかかるシステムの専用ネットワークを用いると、機密性がより向上して好ましい。
【００６１】
さらに、これらの場合を組み合わせた構成例として、上記撮像データベースを組み込まれた装置をメイン端末とし、上記撮像データベースを組み込んでいない装置をサブ端末として、サブ端末はネットワークを介してメイン端末に組み込まれた上記撮像データベースを利用するようにして、導入コストを抑えることもできる。
【００６２】
また、同様のシステムを複数の地域に導入し、それぞれの地域で撮像した撮像データを、その地域でのみ再生できるようにしつつ、それらの地域用の上記撮像データベースや上記関連データベースをまとめて管理して、導入コストや管理コストを抑えたい場合は、一箇所に個々の地域用の上記撮像データベースの機能を有するサーバや上記関連データベースの機能を有するサーバを設置し、それぞれの地域の上記撮像手段、上記発行手段、上記読取手段、上記再生手段等が接続するサーバをあらかじめ指定しておくことで、それぞれの地域の撮像データが混在しないようにする方法が挙げられる。なお、サーバを地域ごとに分けつつ、各々の地域ごとのサーバを一台にして、その一台に上記撮像データベースの機能と上記関連データベースの機能とを持たせるようにしてもよい。
【００６３】
さらに、上記のように、同様のシステムを複数の地域に導入し、それぞれの地域で撮像した撮像データを、その地域でのみ再生できるようにしつつ、それら複数の地域における上記撮像データベースや上記関連データベースの役割を、上記撮像データベースの機能を有する一つのサーバや上記関連データベースの機能を有する一つのサーバ、又は上記撮像データベースと上記関連データベースの機能をどちらも有する一つのサーバで行って、導入コストや管理コストをさらに抑えたい場合は、例えば、それぞれの地域における撮像データへのアクセスを、個々の上記撮像手段、上記発行手段、上記読取手段、上記再生手段のＩＰアドレスにより制限したり、やりとりする撮像データにそれぞれの地域を識別できるように割り振った地域コードを含めて、その地域コードでアクセス元を判別して撮像データを分類したりすることで、それぞれの地域の撮像データが混在しないようにする方法が挙げられる。
【００６４】
上記した以外に挙げられる、この発明にかかるシステムの効果として、ＩＣタグを用いることで、旧来識別子として用いられるバーコードや二次元コードとは異なり、読み取りにあたってバーコードや二次元コードが印刷されている特定の部位を正確に読み取り装置に対面させる必要がなく、読取装置にかざす、読取手段のある箇所に入る、又は通過するだけで、再生手段により映像や音声を自動で再生させるようにすることができる。
【００６５】
さらに、ＩＣタグでは情報の読み取りを、電磁波を用いて行うため、バーコードや二次元コードのように記号等を表面に記載する必要がなく、識別子に柔軟なデザインを施すことが可能となり、付加価値を付けた商品にしやすくなる。例えば、上記の特定の場所又は地域における特産品にＩＣタグを組み込んで、特産品と上記の映像などとを関連付けることもできる。さらに、時計や携帯電話に搭載されたＩＣタグに上記撮像データＩＤを記録するようにして、常時持ち運ぶようにすることもできる。
【実施例】
【００６６】
この発明にかかるシステムのシステム専用端末を用いた実施例の概要を図２に示す。
まず、図２左側に示すように、撮影者１０は、撮像手段１１ａ、発行手段１１ｂ、読取手段１１ｃ及び再生手段１１ｄを有するシステム専用端末１１のある場所に行き、撮像を行う。撮影者１０は自身の影像を、撮像手段１１ａにより撮像する。撮像手段１１ａは図示したカメラの他、マイクによる録音もある。撮像された撮像データ（図中、「撮像Ｄ」と略す。以下、「Ｄ」の記述はこれに準じるものである。）はシステム専用端末１１内の一時記憶又はネットワーク１２で繋がった撮像データベース１３に保存され、ディスプレイである再生手段１１ｄで映像として再生される。また、音声を含む場合は再生手段１１ｄとしてスピーカーを搭載し、このスピーカーから再生される。これにより、撮影者１０は自身の納得できた影像が撮像できたか否かを確認でき、録音した場合は音声も確認できる。システム専用端末１１には図示してはいないが、ボタンやタッチパネルなど、何らかの形で撮影者が自身の判断をシステム専用端末１１に対して伝達する手段が設けられている。撮影者が映像などに納得すれば、システム専用端末１１は、撮像データベース１３に保存した撮像データに関連付けたＩＣタグ１４を、発行手段１１ｂより撮影者１０へ発行する。
【００６７】
撮影者１０は、ＩＣタグ１４を持ったままでいるか、又は誰かに手渡すことによって、保存した撮像データによる映像などを自分で見るか、又は他者に見せるかを選択できるが、これは基本的にシステム専用端末１１の設置場所及び撮像した状況により決まる映像などの内容による。見る場合と見せる場合とのどちらの場合も、対応するＩＣタグ１４を有していないと再生させることができないため、再生させようとする撮影者１０、又は撮影者１０が見せたいと望んだ他者１５は、ＩＣタグ１４を有して、システム専用端末１１のある場所へ赴き、ＩＣタグ１４を読取手段１１ｃに読み取らせて、そのＩＣタグ１４に関連付けられた撮像データを、ネットワーク１２を介して撮像データベース１３から呼び出し、再生手段１１ｄにより、その撮像データを映像や音声として再生させる。
【００６８】
この映像などとＩＣタグ１４との具体的な使い方は、撮影者１０が自ら見ようとする映像などと、他者１５に見せようとする映像などとに分けられる。
【００６９】
撮影者１０が自ら見ようとする映像などとしては、撮影者が自ら回想することを望む記念日における記念の映像、観光地又は特定の遊戯施設における訪問の記録となる映像などやそれらに付随する音声が挙げられ、これらの場所に置かれているシステム専用端末１１により撮像したものとなる場合が多い。これらの映像などを再生させる撮像データと関連付けたＩＣタグ１４は、基本的に必要とする個数は一つであり、バックアップを残す場合でもそれほど多数を必要としない。このように用いるＩＣタグ１４の提供態様としては、カード型ＩＣタグや、特定の形状のプラスチックなどでＩＣタグを覆ったもの、人形などのその訪問箇所の消耗品ではない特産品にＩＣタグを組み込んだものとしてＩＣタグを新たに発行したりするといったことが挙げられる。
【００７０】
また、他者１５に見せようとする映像などとしては、シール付き顔写真のように知己となったり、友誼を深めたりした記念として多数提供する撮影者自身のメッセージを含む映像や、結婚などの祝賀式や競技記録を達成した際の映像などを、手紙と共に知人親戚等に送付するといったものなどが挙げられ、システム専用端末１１が置かれる場所は特に限定されるものではないが、撮像した場所や内容などを想起させるような関連する場所又は地域に置かれるものとする。これらの映像などと関連付けたＩＣタグ１４は、特定の人へのプレゼントとしてごく少数発行する場合や、広く配布するために多数発行するものもある。このように用いるＩＣタグ１４の提供形態としては、カード型ＩＣタグや、記念品にＩＣタグを組み込んだものといったものが挙げられる。
【００７１】
（実施例１）
次に、関連データベースを用いた大規模なシステムの具体的な実施例について、図３乃至図６を用いて説明する。
まず、図３及び図４に示すように、撮影者１０は、撮像手段を含む端末のある場所に行き、撮像を行う。上記撮像手段１１ａとして、カメラを有する撮像部２１とマイクを有する集音部２２とにより、撮像・録音を行う（２０１）。
【００７２】
上記の、撮像された影像と録音された音声とからなる撮像データ（図中、「撮像Ｄ」と略す。）を、先に一時的記憶手段で内容を確認する場合（２０３）、一時的記憶手段を有する撮像・集音制御部２３によりまとめて、ディスプレイとスピーカーとを有する再生部２４に送り、一旦再生させる。撮影者は再生された映像と音声とを確認して（２０３）、自分がそれで納得できるか否かを判断し（２０４）、例えば、装置にハードウェアとして作り付けられているボタンを押したり、画面上に表示されたアイコンをマウスでクリックしたり、タッチパネルに指で触れたりするといった、選択部２５が制御する入力装置によって、撮像・集音制御部２３に判断した意志を伝達する。撮影者が納得できないという意思を撮像・集音制御部２３に伝達した場合は、撮像・集音制御部２３は撮像された影像と音とを、一時的記憶手段から一旦破棄し、撮影者は撮像・録音からやり直す（２０１）ことが出来る。撮影者が納得したという意思を撮像・集音制御部２３に伝達した場合は、撮像・集音制御部２３は、撮像された影像と録音された音声とをまとめた撮像データを作成し、撮像データＩＤ付与部２６（図中、「撮像Ｄ・ＩＤ付与部」と表記する。）に引き渡す。撮像Ｄ・ＩＤ付与部２６では、撮像データベース（以下、「撮像ＤＢ」と略す。図中も同じ。また、以降の「ＤＢ」は同様に「データベース」を意味する。）２７を検索し、現在撮像ＤＢに保存されている撮像データに付与されている撮像データＩＤとは重ならない一意の撮像データＩＤを決定、上記の撮像データにその撮像データＩＤを付与する（２０５）。その後、撮像Ｄ・ＩＤ付与部２６は撮像データを撮像ＤＢ２７に保存する（２０６）。
【００７３】
上記の撮像データを、先に撮像ＤＢ２７に保存する場合（２１３）、撮像・集音制御部２３は、撮像Ｄ・ＩＤ付与部２６により、撮像データに撮像データＩＤを付与して（２１３）、撮像ＤＢ２７に保存する（２１４）。その上で、撮像・集音制御部２３は撮像ＤＢ２７から撮像データを呼び出して再生部２４に送り、再生させる（２１５）。撮影者が、再生された撮像データの内容に納得できないという意思を撮像・集音制御部２３に伝達した場合は（２１６）、撮像・集音制御部２３は、撮像Ｄ・ＩＤ付与部２６にその撮像データを削除する指示を出し、撮像Ｄ・ＩＤ付与部２６はその撮像データを削除し（２１７）、しかる後に、撮像・録音からやり直す（２０１）。撮影者が納得したという意思を撮像・集音制御部２３に伝達した場合は（２１６）、撮像・集音制御部２３は撮像Ｄ・ＩＤ付与部２６に撮像データをそのまま保存するように指示し、変更を加えず次の工程に進む。
【００７４】
撮像データＩＤを付与し撮像データを保存した撮像Ｄ・ＩＤ付与部２６は、新たな撮像データの保存が完了したことと付与された撮像データＩＤを、ＩＣタグ管理部３２に伝える。この後、撮影者が既にこの発明にかかるシステムに用いることのできるＩＣタグ１４を所有しており、かつそのＩＣタグ１４を使用して撮像データを関連付けたいか、又は、新たなＩＣタグ１４の発行を受けたいかによって動作が異なる（２０７）。
【００７５】
撮影者が使用可能なＩＣタグ１４を有していないか、又は、ＩＣタグ１４を持っていても撮像した撮像データを新たなＩＣタグ１４に関連付けて発行を受けたい場合には、撮影者は、選択部２５が制御しＩＣタグ管理部３２と連動する入力装置によって、ＩＣタグ管理部３２に、ＩＣタグ新規発行を希望する意志を伝達する。ＩＣタグ管理部３２は、ＩＣタグＩＤ・ＤＢ３６を検索し、新たに発行可能なＩＣタグＩＤを選出する（２３１）。ＩＣタグ管理部３２は、こうして選出したＩＣタグＩＤと撮像Ｄ・ＩＤ付与部２６より送られた撮像データＩＤとを撮像データＩＤ・ＩＣタグＩＤ関連付け部３３に伝える。撮像データＩＤ・ＩＣタグＩＤ関連付け部３３では、図１に例示したようなデータベースによってこれらを関連づけた上で、撮像データＩＤ・ＩＣタグＩＤ関連付けＤＢ３５に保存し、ＩＣタグ管理部３２に完了通知する（２３２）。
【００７６】
ＩＣタグ管理部３２は、関連づけが完了したＩＣタグＩＤを有するＩＣタグ１４を発行するようＩＣタグ発行部３７に指示し、ＩＣタグ発行部３７では、保管している複数のＩＣタグの中から、そのＩＣタグ１４を選び出し、発行の準備を行う（２３３）。そのＩＣタグ１４を保管している複数のＩＣタグの中から選び出すには、種々の方法が考えられるが、例えば、ＩＣタグ発行部３７に内蔵あるいは連動して動作し、ＩＣタグを個別に保管・排出できる機能を持つ保管庫を用いる方法が考えられる。個々の保管庫に一意の番号を振り、納められているＩＣタグのＩＣタグＩＤとともにこの番号をＩＣタグＩＤ・ＤＢ３６に保管する。ＩＣタグＩＤ選出のためＩＣタグＩＤ・ＤＢ３６を検索する際に（２３１）、同時に保管庫の番号を得、その番号を持つ保管庫にＩＣタグ１４を排出する指示を出すことによって、ＩＣタグ発行部３７に適切なＩＣタグ１４を発行させることが出来る。ＩＣタグ発行部３７がＩＣタグ読取装置をも内蔵し、発行の際に発行しようとするＩＣタグ１４を読み取り、正しいＩＣタグＩＤを持つＩＣタグ１４であるかを確認すれば、より確実である。また発行の準備においては（２３３）、実現するシステムの必要に応じ、関連づけられる撮像データを表す記号等をＩＣタグ１４の表面に打刻する等の加工も行われる。こうして準備されたＩＣタグ１４は、ＩＣタグ発行部３７から払い出される（２３４）。
【００７７】
撮影者が既に使用可能なＩＣタグ１４を有しており、かつ、撮像した撮像データをそのＩＣタグ１４に関係づける場合には、まず、撮影者が有するＩＣタグ１４を、ＩＣタグ読取部３１に読み取らせ、ＩＣタグＩＤ抽出部４１により、読み取ったＩＣタグ１４からＩＣタグＩＤを抽出する（２２１）。
【００７８】
読み取ったＩＣタグ１４のＩＣタグＩＤをＩＣタグ管理部３２が取得し、ＩＣタグＩＤ・ＤＢ３６を検索して、ＩＣタグＩＤ・ＤＢ３６で管理しているＩＣタグＩＤであることを確認する（２２２）。確認がとれれば、ＩＣタグ管理部３２は、このＩＣタグＩＤと撮像Ｄ・ＩＤ付与部２６より送られた撮像データＩＤとを撮像データＩＤ・ＩＣタグＩＤ関連付け部３３に伝える。撮像データＩＤ・ＩＣタグＩＤ関連付け部３３では、これらを関連づけた上で、撮像データＩＤ・ＩＣタグＩＤ関連付けＤＢ３５に保存し、ＩＣタグ管理部３２に完了通知する（２２３）。撮影者が有するＩＣタグ１４は、一連の作業が完了すれば返却される（２２４）。実現するシステムによっては、ＩＣタグＩＤを抽出した段階で（２２１）、ＩＣタグ１４を返却する構成とする方法も考えられる。
【００７９】
なお、ＩＣタグ読取部３１は、非接触で情報が読み取り可能であるというＩＣタグ１４の特性や撮影者の利便性を考慮すると、装置の表面に配置し、撮影者はＩＣタグをＩＣタグ読取部３１付近にかざすだけでよい構成とするほうがよい。一方、上記の新たなＩＣタグ１４の発行の際に確認のためにＩＣタグ発行部３７に内蔵されるＩＣタグ読取装置は、新たなＩＣタグ発行時のＩＣタグ１４の動線上に配置すると効果的である。ただし、これらを１つのＩＣタグ読取装置で兼用し、例えば、確認用のＩＣタグ読取装置を廃し、ＩＣタグ払い出し後、撮影者がＩＣタグ１４をＩＣタグ読取部３１に自らかざして確認させることによって、コストを抑えることもできる。
【００８０】
次に、上記したＩＣタグ１４を用いて、撮像データとして保存された映像などを再生させるシステムの具体的な構築内容と再生手順例としては、図５及び図６記載のシステムが挙げられる。
【００８１】
ＩＣタグ１４を持っている撮影者１０又は他者１５が、読取手段１１ｃと再生手段１１ｄを含むシステム専用端末１１のある施設に行き、ＩＣタグ１４をタグ読取部３１により読み取らせる（２４１）。
【００８２】
ＩＣタグＩＤ抽出部４１は読み取ったＩＣタグ１４から、ＩＣタグ１４が有するＩＣタグＩＤを読み出す（２４２）。撮像データ・ＩＤ解析部４２は、撮像データＩＤ・ＩＣタグＩＤ関連付けＤＢ３５を検索し、上記ＩＣタグＩＤに対応した撮像データＩＤを求める（２４３）。撮像データ呼出部５１は、この撮像データＩＤを元に、撮像ＤＢ２７から該当する撮像データを読み出し（２４４）、再生制御部５２に送り、再生部５３により再生する。対応する撮像データが複数ある場合には、それぞれの撮像データの日付などの関連事項や、縮小表示、動画であれば最初の一コマなど、撮影者が撮像データを判別できる情報を再生部５３に表示させ、選択部５４と連動して動作する入力装置を合わせて使用することによって、ＩＣタグ１４を用いて表示させようとする撮像データを選択する。こうして選択された撮像データを、再生手段１１ｄである再生部５３で映像や音声として再生する（２４５）。
【００８３】
（実施例２）
さらに、この発明にかかる、関連データベースを省いたより簡単なシステムの具体的な実施例を図７乃至１０を用いて説明する。
まず、実施例１と同様の手順で、撮像データを作成する。すなわち、撮影者１０は、システム専用端末１１のある場所に行き、図７及び図８に記載のように、撮像部６１と集音部６２からなる撮像手段１１ａにより撮像・録音を行う（３０１）。撮像された影像と録音された音からなる撮像データは、一時記憶を有する撮像・集音制御部６３によりまとめて一時的に保存し（３０２）、再生手段１１ｄである再生部６４で一旦再生させる。撮影者１０は再生された映像と音声とを確認し（３０３）、それで納得できるか否かを、図２には図示していないボタンなどの選択部６５から撮像・集音制御部６３に伝達する（３０４）。撮影者１０が納得できなければ、撮像・集音制御部６３は撮像データを一時記憶から一旦破棄し、撮影者は撮像からやり直す（３０１）。撮影者が納得した場合は、撮像・集音制御部６３は、撮像データＩＤ付与部６６により、録音された音と撮像された映像とをまとめた撮像データに撮像データＩＤを付与した上で（３０５）、撮像ＤＢ６７に保存する（３０６）。なお、ここでは一時記憶を使用する場合のみを示しているが、実施例１と同様に、一時記憶を使わずに先に撮像ＤＢ６７に保存するシステムも選択可能である。
【００８４】
撮影者が、ＩＣタグを持っていないか、又は既に持っていても新たなＩＣタグの発行を受けることを選択した場合（３０７）、撮影者は、選択部６５が制御しＩＣタグ管理部７１と連動する入力装置によって、ＩＣタグ管理部７１に、ＩＣタグ新規発行を希望する意志を伝達する。ＩＣタグ管理部７１は、ＩＣタグＩＤ・ＤＢ７４を検索し、新たに発行可能なＩＣタグＩＤを選出し、こうして選出したＩＣタグＩＤと撮像Ｄ・ＩＤ付与部６６より送られた撮像データＩＤとをＩＣタグ発行部７２に伝える。ＩＣタグ発行部７２では、実施例１と同様にＩＣタグＩＤをもとに払い出すＩＣタグ１４を選出するが、本実施例ではＩＣタグ書込装置を内蔵し、ＩＣタグ選出後、先に撮像データに付与され、ＩＣタグ管理部７１より伝えられた撮像データＩＤをＩＣタグに記録する（３０８）。なお、ＩＣタグ書込装置は、例えば、実施例１において、払い出すＩＣタグＩＤを確認するために配置したＩＣタグ読取装置と同様の位置に配置することができる。さらに、上記ＩＣタグ読取装置の替わりに、ＩＣタグ読取書込装置を配置すれば、ＩＣタグへの撮像データＩＤの書込みと、ＩＣタグＩＤおよび記録した撮像データＩＤの確認をほぼ同時に行える。こうして撮像データＩＤを書き込まれたＩＣタグは、ＩＣタグ発行部７２から払い出される（３０９）。
【００８５】
撮影者が、既に持っているＩＣタグ１４を使用することを選択した場合（３０７）、撮影者の有するＩＣタグ１４をＩＣタグ読取部７３により読み取り、ＩＣタグＩＤ抽出部７５でＩＣタグＩＤを抽出する（３１１）。ＩＣタグ管理部７１は、読み取り抽出したＩＣタグＩＤがＩＣタグＩＤ・ＤＢ７４で管理されているものであることを確認した後（３１２）、ＩＣタグ発行部７２により撮影者の有するＩＣタグ１４に撮像データＩＤを記録する（３１３）。
【００８６】
なお、非接触で情報の読み取りと書き込みとが可能であるというＩＣタグの特性や撮影者の利便性を考慮すると、ＩＣタグ読取部７３は、装置の表面に配置され、撮影者はＩＣタグ１４を装置の表面にあるＩＣタグ読取部７３付近にかざすだけでよい構成とするとよい。また撮影者が既に持っているＩＣタグ１４にデータを書き込もうとする場合においても、撮影者がＩＣタグ１４をＩＣタグ発行部７２付近にかざすだけで書き込みが完了できると利便性が高いので、ＩＣタグ書込装置を装置表面に配置するとよい。さらにこれらＩＣタグ発行部７２とＩＣタグ読取部７３との機能を、１つのＩＣタグ読取書込装置により行う構成とすれば、ＩＣタグの読み取りから撮像データＩＤ書込みまでを１度に行うことができ、さらに利便性を高めることができる。
【００８７】
一方、上記の新たなＩＣタグを発行する際に用いられるＩＣタグ書込装置は、新たなＩＣタグを発行する際のＩＣタグ発行部７２内におけるＩＣタグ１４の動線上に内蔵して配置すると効果的である。ただし、これらの新たなＩＣタグ１４の発行の際に用いるＩＣタグ書込装置と、既に持っているＩＣタグ１４への書き込みの際に用いるＩＣタグ書込装置とを１つのＩＣタグ書込装置で兼用し、例えば、ＩＣタグ発行部７２に内蔵されるＩＣタグ書込装置を廃し、ＩＣタグ発行部７２の表面にのみＩＣタグ書込装置を配置し、ＩＣタグ１４の払い出し後、撮影者がＩＣタグ１４をＩＣタグ書込装置に自らかざしてデータを書き込ませるようにすることによって導入や整備にかかるコストを抑えることもできる。
【００８８】
このＩＣタグ１４を用いて、撮像データとして保存された映像や音声を再生させるシステムの具体的構築内容と再生手順例としては、図９及び図１０記載のシステムが挙げられる。撮影者１０自身又はＩＣタグ１４を譲渡された他者１５は、システム専用端末１１のある施設に行き、ＩＣタグ１４を読取手段１１ｃであるＩＣタグ読み取り部８１にＩＣタグ１４をかざして（３２１）、撮像データＩＤ抽出部８２によりＩＣタグ１４に記録された撮像データＩＤを取得させる（３２２）。
【００８９】
記録された撮像データＩＤが一つである場合（３２３）、撮像データ呼出部９１は、取得した撮像データＩＤに対応した撮像データを撮像ＤＢ６７から呼び出す（３２４）。呼び出した撮像データは、再生制御部９２に送られ、再生手段１１ｄである再生部９３で映像や音声として再生する（３２５）。
【００９０】
撮像データＩＤが複数記録されている場合は（３２３）、撮像ＤＢ６７から複数の撮像データの概要や一部を呼び出して再生部９３に表示させ、選択部９４により撮像データを選択可能とする（３３１）。再生制御部９２は、選択された撮像データを撮像ＤＢ６７から呼び出し（３３２）、再生部９３で再生させる（３３３）。さらに、ＩＣタグに記録されている別の撮像データを表示させる場合は（３３４）、撮像ＤＢ６７から複数の撮像データの概要や一部を呼び出して再生部９３に表示させ、選択部９４により選択可能とする（３３１）ことから繰り返す。
【図面の簡単な説明】
【００９１】
【図１】関連データベースの概念図
【図２】システム専用端末を用いたシステムの例を示す概念図
【図３】実施例１にかかる撮像から発行までのシステム構造例を示すフロー図
【図４】実施例１にかかる撮像から発行までの手順例を示すフロー図
【図５】実施例１にかかるＩＣタグの受信から再生までのシステム構造例を示すフロー図
【図６】実施例１にかかるＩＣタグの受信から再生までの手順例を示すフロー図
【図７】実施例２にかかる撮像から発行までのシステム構造例を示すフロー図
【図８】実施例２にかかる撮像から発行までの手順例を示すフロー図
【図９】実施例２にかかるＩＣタグの受信から再生までのシステム構造例を示すフロー図
【図１０】実施例２にかかるＩＣタグの受信から再生までの手順例を示すフロー図
【符号の説明】
【００９２】
１０  撮影者
１１  システム専用端末
１１ａ  撮像手段
１１ｂ  発行手段
１１ｃ  読取手段
１１ｄ  再生手段
１２  ネットワーク
１３  撮像データベース
１４  ＩＣタグ
１５  他者
【図１】
2006301796.tif 000003
【図２】
2006301796.tif 000004
【図３】
2006301796.tif 000005
【図４】
2006301796.tif 000006
【図５】
2006301796.tif 000007
【図６】
2006301796.tif 000008
【図７】
2006301796.tif 000009
【図８】
2006301796.tif 000010
【図９】
2006301796.tif 000011
【図１０】
2006301796.tif 000012